(57)【要約】【課題】外部品に内部品を確実に位置決めされた状態で溶着できるようにした合成樹脂成形品の位置決め構造を提供する。【解決手段】合成樹脂成形のスカート（外部品…本体外周部分）１の内部にボウル（内部品）２を嵌め込み、スカート１にボウル２を位置決め状態で溶着するための位置決め構造であって、ボウル２の外面２ａに、ボウル２をスカート１の内部に嵌め込む時に、潰れながらスカート１の内面１ａに圧接可能な潰れ突起部２ｂが形成されている。ボウル２をスカート１の内部に嵌め込む時に、スカート１の内面１ａとボウル２の外面２ａとの間に隙間ｔがあっても、この隙間ｔを補填する潰れ突起部２ｂが潰れながらスカート１の内面１ａに圧接するようになる。【選択図】図２
2008265212.tif 000002
【特許請求の範囲】
【請求項１】
合成樹脂成形の外部品の内部に内部品を嵌め込み、外部品に内部品を位置決め状態で溶着するための位置決め構造であって、
前記内部品の外面と外部品の内面のいずれか一方に、内部品を外部品の内部に嵌め込む時に、潰れながら相対向する内面若しくは外面に圧接可能な潰れ突起部が形成されていることを特徴とする合成樹脂成形品の位置決め構造。
【請求項２】
前記内部品の外面と外部品の内面のいずれか一方に、内部品を外部品の内部に嵌め込む時に、前記潰れ突起部を嵌め込み方向にガイドするガイド溝部が形成されていることを特徴とする請求項１に記載の合成樹脂成形品の位置決め構造。
【請求項３】
前記内部品の外面と外部品の内面のいずれか一方にリブが形成され、内部品を外部品の内部に嵌め込む時に、前記リブを嵌め込み方向にガイドするガイド溝部が他方に形成されていることを特徴とする請求項１に記載の合成樹脂成形品の位置決め構造。
【請求項４】
前記外部品の内面に形成されたガイド溝部の上端に、嵌め込んだ内部品の下面が当て止められることを特徴とする請求項２または３に記載の合成樹脂成形品の位置決め構造。
【請求項５】
前記外部品は、便器の本体外周部分であり、内部品は、便器のボウルであることを特徴とする請求項１〜４のいずれか一項に記載の合成樹脂成形品の位置決め構造。
【発明の詳細な説明】
【技術分野】
【０００１】
本発明は、合成樹脂成形品の位置決め構造に関する。
【背景技術】
【０００２】
従来、水洗便器において、合成樹脂成形のスカート（外部品…本体外周部分）の内部にボウル（内部品）を嵌め込み、スカート（外部品）とボウル（内部品）とを位置決め状態で溶着するものがある（特許文献１参照）。
【特許文献１】特開２００６−３２８８２７号公報
【発明の開示】
【発明が解決しようとする課題】
【０００３】
しかしながら、背景技術のように、スカートとボウルとが合成樹脂成形品である場合、スカートの内部にボウルを嵌め込んだ（落とし込んだ）時に、成形精度や溶着時の膨張収縮によっては、スカートの内面とボウルの外面との間に隙間（クリアランス）が生じて、ボウルの円周方向や高さ方向の位置決めができなくなるという問題があった。
【０００４】
本発明は、前記問題を解消するためになされたもので、外部品に内部品を確実に位置決めされた状態で溶着できるようにした合成樹脂成形品の位置決め構造を提供することを目的とするものである。
【課題を解決するための手段】
【０００５】
前記課題を解決するために、本発明は、合成樹脂成形の外部品の内部に内部品を嵌め込み、外部品に内部品を位置決め状態で溶着するための位置決め構造であって、前記内部品の外面と外部品の内面のいずれか一方に、内部品を外部品の内部に嵌め込む時に、潰れながら相対向する内面若しくは外面に圧接可能な潰れ突起部が形成されていることを特徴とする合成樹脂成形品の位置決め構造を提供するものである。
【０００６】
請求項２のように、前記内部品の外面と外部品の内面のいずれか一方に、内部品を外部品の内部に嵌め込む時に、前記潰れ突起部を嵌め込み方向にガイドするガイド溝部が形成されていることが好ましい。
【０００７】
請求項３のように、前記内部品の外面と外部品の内面のいずれか一方にリブが形成され、内部品を外部品の内部に嵌め込む時に、前記リブを嵌め込み方向にガイドするガイド溝部が他方に形成されていることが好ましい。
【０００８】
請求項４のように、前記外部品の内面に形成されたガイド溝部の上端に、嵌め込んだ内部品の下面が当て止められることが好ましい。
【０００９】
請求項５のように、前記外部品は、便器の本体外周部分であり、内部品は、便器のボウルであることが好ましい。
【発明の効果】
【００１０】
本発明によれば、内部品を外部品の内部に嵌め込む時に、外部品の内面と内部品の外面との間に隙間があっても、この隙間を補填する潰れ突起部が潰れながら相対向する内面若しくは外面に圧接するようになるから、外部品に圧接力で保持された内部品を円周方向や高さ方向に確実に位置決めされた状態で溶着できるようになる。また、内部品と外部品のいずれか一方に、潰れ突起部を形成するだけであるから、構造が簡単で、部品の成形時に同時に形成できるので、コスト安になる。
【００１１】
請求項２によれば、ガイド溝部によって、潰れ突起部が嵌め込み方向（高さ方向）にガイドされるから、内部品が円周方向に回らないので、内部品が円周方向に正確に位置決めされるようになる。
【００１２】
請求項３によれば、ガイド溝部によって、リブが嵌め込み方向（高さ方向）にガイドされるから、内部品が円周方向に回らないので、内部品が円周方向に正確に位置決めされるようになる。また、リブによって、内部品または外部品の強度が向上するようになる。
【００１３】
請求項４によれば、内部品を外部品の内部に嵌め込んだ時に、外部品のガイド溝部の上端に内部品の下面が当て止められるから、内部品が高さ方向に正確に位置決めされるようになる。
【００１４】
請求項５によれば、合成樹脂成形のスカートの内部にボウルを嵌め込み、スカートにボウルを位置決め状態で溶着する便器に最適である。
【発明を実施するための最良の形態】
【００１５】
以下、本発明を実施するための最良の形態について、図面を参照しながら詳細に説明する。
【００１６】
図１は、合成樹脂成形のスカート（外部品…本体外周部分）１の内部にボウル（内部品）２を嵌め込み、スカート１にボウル２を位置決めした状態で溶着部３により溶着した便器であり、（ａ）は溶着前の分解断面図、（ｂ）は溶着後の断面図である。なお、スカート１とボウル２は、図１では略画的に、平面視で円形状としてあるが、実際には、平面視で略Ｕ字形状であって、このために、ボウル２を円周方向に位置決めする必要がある。また、本例は、便器の本体外周部分がスカート１であるが、本体外周部分は、必ずしもスカート１に限るものでは無い。
【００１７】
スカート１の内面１ａとボウル２の外面２ａとの間には、隙間ｔ〔図２（ｂ）参照〕が無いことが理想であるが、成形精度や溶着時の膨張収縮によって、実際には、０．５〜１．０ｍｍ程度の隙間ｔが生じることが多い。
【００１８】
そこで、図２（ａ）（ｂ）に示すように、ボウル２の外面２ａに、ボウル２をスカート１の内部に嵌め込む時に、無理嵌めすると、潰れながらスカート１の内面１ａに圧接可能な潰れ突起部２ｂを形成している。図２（ａ）は、潰れ突起部２ｂが潰れていない嵌め込み前の状態、図２（ｂ）は、潰れ突起部２ｂが潰れた嵌め込み後の状態である。
【００１９】
潰れ突起部２ｂは、前記のような隙間ｔの数値であれば、突起高さが１〜３ｍｍ程度で、円周方向に５〜１５箇所を形成することが好ましい。
【００２０】
なお、スカート１の内面１ａに、ボウル２をスカート１の内部に嵌め込む時に、潰れながらボウル２の外面２ａに圧接可能な潰れ突起部を形成することもできる。
【００２１】
前記のような構成であれば、ボウル２をスカート１の内部に嵌め込む時に、スカート１の内面１ａとボウル２の外面２ａとの間に隙間ｔがあっても、この隙間ｔを補填する潰れ突起部２ｂが潰れながらスカート１の内面１ａに圧接するようになるから、スカート１に圧接力で保持されたボウル２を円周方向や高さ方向に確実に位置決めされた状態で溶着できるようになる。
【００２２】
また、ボウル２とスカート１のいずれか一方に、潰れ突起部２ｂを形成するだけであるから、構造が簡単で、スカート１やボウル２の成形時に同時に形成できるので、コスト安になる。
【００２３】
図３および図４に示すように、ボウル２の外面２ａの潰れ突起部２ｂを下方に延長して、縦長に形成するとともに、スカート１の内面１ａに、ボウル２をスカート１の内部に嵌め込む時に、潰れ突起部２ｂを嵌め込み方向にガイドするガイド溝部１ｂが形成されている。図３（ａ）と図４（ａ）は、潰れ突起部２ｂが潰れていなくて、ガイド溝部１ｂでガイドされていない嵌め込む前の状態、図３（ｂ）と図４（ｂ）は、潰れ突起部２ｂが潰れて、ガイド溝部１ｂでガイドされている嵌め込んだ後の状態である。
【００２４】
なお、スカート１の内面１ａに潰れ突起部を形成したときは、ガイド溝部はボウル２の外面２ａに形成すれば良い。
【００２５】
前記構成であれば、ガイド溝部１ｂによって、潰れ突起部２ｂが嵌め込み方向（高さ方向）にガイドされるから、ボウル２が円周方向に回らないので、ボウル２が円周方向に正確に位置決めされるようになる。
【００２６】
具体的に図示しないが、ボウル２の外面２ａとスカート１の内面１ａのいずれか一方にリブを形成して、ボウル２をスカート１の内部に嵌め込む時に、このリブを嵌め込み方向にガイドするガイド溝部を他方に形成することもできる。
【００２７】
このようにすれば、ガイド溝部によって、リブが嵌め込み方向（高さ方向）にガイドされるから、ボウル２が円周方向に回らないので、ボウル２が円周方向に正確に位置決めされるようになる。また、リブによって、ボウル２またはスカート１の強度が向上するようになる。
【００２８】
また、図３（ａ）のように、スカート１の内面１ａに形成されたガイド溝部１ｂの上端１ｃに、嵌め込んだボウル２の下面２ｃを当て止められるようにすれば、ボウル２が高さ方向に正確に位置決めされるようになる。
【図面の簡単な説明】
【００２９】
【図１】本発明の実施形態に係る成形品である便器であり、（ａ）はボウルをスカートに嵌め込む前の分解断面図、（ｂ）はボウルをスカートに嵌め込んだ後の断面図である。
【図２】（ａ）はボウルをスカートに嵌め込む前の要部斜視図、（ｂ）はボウルをスカートに嵌め込んだ後の要部斜視図である。
【図３】（ａ）は潰れ突起部がガイド溝部でガイドされていない嵌め込む前の要部斜視図、（ｂ）は潰れ突起部がガイド溝部でガイドされている嵌め込んだ後の要部斜視図である。
【図４】（ａ）は潰れ突起部がガイド溝部でガイドされていない嵌め込む前の断面図、（ｂ）は潰れ突起部がガイド溝部でガイドされている嵌め込んだ後の断面図である。
【符号の説明】
【００３０】
１    スカート（外部品…本体外周部分）
１ａ  内面
１ｂ  ガイド溝部
１ｃ  上端
２    ボウル（内部品）
２ａ  外面
２ｂ  潰れ突起部
２ｃ  下面
３    溶着部
【図１】
2008265212.tif 000003
【図２】
2008265212.tif 000004
【図３】
2008265212.tif 000005
【図４】
2008265212.tif 000006